(57)【要約】      （修正有）【課題】「雪見障子」あるいは「ねこま障子」と通称される擦り上げ障子戸の断熱、気密、防水、結露防止等の性能の向上を図る。【解決手段】建具枠体１内に、建具枠体内１の開口α全面を閉塞、密閉するように二重硝子２０を配し、かつ上下方向引き違いとなると共に建具枠体１の開口α全面を閉塞する関係の大きさに規制して分割形成された複数枚の障子戸を配した擦り上げ障子戸Ａである。【選択図】図１
2005299208.tif 000002
【特許請求の範囲】
【請求項１】
建具枠体内に、建具枠体内の開口全面を閉塞、密閉するように二重硝子を配し、かつ上下方向引き違いとなると共に建具枠体開口の全面を閉塞する関係の大きさに規制して分割形成された複数枚の障子戸を配したことを特徴とする擦り上げ障子戸。
【発明の詳細な説明】
【技術分野】
【０００１】
本発明は、「雪見障子」あるいは「ねこま障子」と通称される擦り上げ障子戸に関わるものである。
【背景技術】
【０００２】
従来の雪見障子は、上框と下框間に中框を形成し、上部に障子枠体、下部に硝子を着脱可能に形成し、内側には上下に移動可能かつ着脱可能に障子枠体を形成したものであった。このために、下部に形成した硝子部分を移動可能な障子枠体により遮蔽したり、開放したりすることにより、断熱性と気密性を保ちながら、直接の太陽光を遮断したり、障子戸越しの柔らかい光を取り入れたり、庭などの観賞が可能なものであった。また、上下方向に硝子を着脱可能に形成し、内側の障子戸は上下方向に移動可能で着脱可能な構成とした擦り上げ障子戸も提案されている。（例えば、特許文献１参照）。
【０００３】
【特許文献１】特開平８−１９９９２２号公報
【発明の開示】
【発明が解決しようとする課題】
【０００４】
しかしながら、特許文献１においては、上下２枚の硝子枠体で構成されているために、美観上サッシを屋外側に設けないような構造で使用した場合には、一枚の擦り上げ障子戸に上下２枚の硝子硝子が存在する構造となるために、断熱性、防水性、気密性、強度、等の点において不安があった。さらに、硝子が１枚の単板硝子であるために、断熱性、気密性、結露の発生、等の不安があった。その上、建具枠と硝子枠体の一体化は、取り外しの容易性を重要視する特殊な雇い実嵌合構造であるために、断熱性、気密性、防水性、等に問題があった。
【課題を解決するための手段】
【０００５】
本発明はこのような欠点を解決するために、建具枠体内に、建具枠体内の開口全面を閉塞、密閉するように二重硝子を配し、かつ上下方向引き違いとなると共に建具枠体の開口全面を閉塞する関係の大きさに規制して分割形成された複数枚の障子戸を配した擦り上げ障子戸を提供するものである。
【発明の効果】
【０００６】
本発明に係る擦り上げ障子戸によれば、（１）全面を二重硝子で形成するために、断熱性、防水性、気密性、強度、等の点において優れると共に、結露の発生がない。（２）２×４構造、パネル建築構造、ユニット構造、あるいはこれらを組み合わせた構造等からなる高気密・高断熱の住宅に採用されても、機能上劣ることがない。（３）適宜な部分を遮蔽、開放できるので、居住者の生活形態にマッチした擦り上げ障子戸となる。（４）我が国の伝統和風建具の利点を有しながら、強度、防水性、気密性、断熱性、等の点において優れた擦り上げ障子戸を形成できる。（５）障子戸を開放した場合に、硝子枠体の縦額縁と横額縁、中框が見えず、視界が圧迫されることがない。（６）サッシを使用しなくとも高気密・高断熱の住宅に採用できる性能を有する。（７）二重硝子を取り付ける硝子枠体を建具枠体で兼ねているために、強度が増し、部材点数も少なくてよい。（８）硝子枠体を形成しないので、硝子枠体の額縁側面全体を嵌合するだけの余裕のない規制された寸法（例えば、３３ｍｍ）にでも硝子の形成が容易に行える。等の特徴、効果がある。
【発明を実施するための最良の形態】
【０００７】
以下に図面を用いて本発明に係る擦り上げ障子戸について詳細に説明する。図１〜図８は擦り上げ障子戸Ａを示す説明図であり、建具枠体１、二重硝子２０、障子戸３０より構成されるものである。図１は図６のａ−ａ線拡大断面図（一部省略）、図２は建具枠体１部分のみのａ−ａ線拡大断面図（一部省略）である。図３（ａ）は図６のｂ−ｂ線拡大断面図、図３（ｂ）は図６のｃ−ｃ線拡大断面図、図４（ａ）は建具枠体１部分のみのｂ−ｂ線拡大断面図、図４（ｂ）は建具枠体１部分のみのｃ−ｃ線拡大断面図、図４（ｃ）は図９のｄ−ｄ線断面図、図４（ｄ）は図９のｅ−ｅ線断面図、図４（ｅ）は図９のｆ−ｆ線断面図である。
【０００８】
また、図５において、Ａは擦り上げ障子戸、Ｋは鴨居、Ｓは敷居である。なお、鴨居Ｋ、敷居Ｓは従来から使用されている一般的なものであるが、擦り上げ障子戸Ａの素材により、木材、プラスチック材、金属材（例えば、アルミニウム等）等から形成されるものである。また、擦る上げ障子戸Ａの建具枠体１の下框３に戸車が形成された構造、あるいは建具枠体１がアルミニウム等の金属材で形成されるような場合には、鴨居Ｋ、敷居Ｓにレールが形成されるものである。
【０００９】
さらに詳説すると、建具枠体１は図９に示すように上框２、下框３、縦框４、左縦框５、右縦框６、図１〜図４に示すように縦框硝子固定溝１０、上框硝子固定溝１１、下框硝子固定溝１２、障子枠体案内溝１３、外障子枠体案内溝１４、内障子枠体案内溝１５より形成したものである。その建具枠体１の素材としては、通常は木材であるが、プラスチック材、金属材（例えば、アルミニウム等）、これらの組み合わせ、等任意である。
【００１０】
縦框硝子固定溝１０は、縦框４の左縦框５、右縦框６の屋外側となる部分に縦に溝を形成し、二重硝子２０の左右部分が挿入されて、二重硝子２０を建具枠体１に建具枠体１内の開口α全面を閉塞、密閉するように固定する部分である。上框硝子固定溝１１は図４（ｃ）〜（ｅ）に示すように、上框２の屋外側となる部分に溝を形成し、二重硝子２０が挿入できるように形成したものである。建具枠体１と二重硝子２０の一体化は上框硝子固定溝１１、縦框硝子固定溝１０、下框硝子固定溝１２の溝に二重硝子２０をはめ込んで、パッキング材Ｐで閉塞、密閉して一体化するものである。勿論、二重硝子２の構造、および二重硝子２と建具枠体１間の構造は、従来利用されている二重ガラス、あるいは復層ガラスの構造（断熱構造・防水構造・気密構造、等）を採用するものである。
【００１１】
下框硝子固定溝１２は下框３の屋外側となる部分に幅Ｗの溝を形成することにより形成したものであり、二重硝子２０の下端部分を挿入し、二重硝子２０の下端部分を建具枠体１に固定する部分である。勿論、縦框硝子固定溝１０、上框硝子固定溝１１、下框硝子固定溝１２の溝の幅は、二重硝子２０がガタつかないように、二重硝子２０が挿入可能で二重硝子２０の厚さとほぼ等しいものである。
【００１２】
上框硝子固定溝１１の幅をＷ、図１０（ａ）〜（ｃ）に示すように二重硝子２０の幅をｗとすると、Ｗ＝ｗ＋０．５〜２ｍｍ位の関係である。なお、二重硝子２０と建具枠体１間の接触する部分に、断熱用、気密用あるいは防水用の弾性パッキング材、あるいは防水シーリング材、衝撃防止用の緩衝材、等よりなるパッキング材Ｐを形成することにより、断熱性、気密性、防水性、強度を向上すると共に、二重硝子２０の破損防止を図ることもできるものである。
【００１３】
なお、図の場合には、建具枠体１はビス等の固定具により一体化されているために、二重硝子２０をはめ込んだ後に、万が一に二重硝子２０が破損した場合でも二重硝子２０の取り替えが可能である。勿論、二重硝子２０を、後記する障子戸３０のように建具枠体１に溝を形成し、弾性部材を介してはめ込むような従来の方法で形成しても良いものである。
【００１４】
外障子枠体案内溝１４と内外障子枠体案内溝１５よりなる障子枠体案内溝１３は、図３（ａ）、（ｂ）、図４（ａ）、（ｂ）に示すように縦框４の屋内側に縦方向に溝を形成することにより障子戸３０が上下方向に移動可能にするために形成した溝である。勿論、障子枠体案内溝１３の幅をＨ、障子戸３０の幅をｈとすると、Ｈ＞ｈとし、障子戸３０が障子枠体案内溝１３内を移動可能に形成するものである。
【００１５】
ここで、図１１（ａ）〜（ｄ）を用いて、障子戸３０の形成方法について簡単に説明する。図１１（ａ）に示すように、板バネ３９ａを形成した内障子戸３２の板バネ３９ａ部分を左縦框５の内障子枠体案内溝１５に挿入する。次に、図１１（ｂ）に示すように、板バネ３９ａの弾性変形を利用して内障子戸３２を内障子枠体案内溝１５に挿入する。
【００１６】
その後、図１１（ｃ）に示すように右縦框６に内障子戸３２の右部分を、板バネ３９ａの弾性変形を利用して図１１（ｄ）に示すように形成するものである。このために、図３（ａ）、（ｂ）に示すように、板バネ３９ａ部分の深さをＴ、板バネ３９ａの反対側の内障子枠体案内溝１５の深さをｔとすると、Ｔ＞ｔの関係である。勿論、左右の障子枠体案内溝１３の深さが逆の場合には、板バネ３９ａの取付位置も左右逆になるものである。
【００１７】
二重硝子２０は、図１０（ａ）〜（ｃ）に示すように、表硝子２１、裏硝子２２、スペーサー２３、空気層２４から形成した、二重ガラス、あるいは復層ガラス（乾燥空気を封入したもの、等よりなる）より形成したものであり、特に、空気層２４を設けたために高い断熱性能を有し、室内の冷暖房の稼働率を下げ省エネルギー効果を発揮するものである。
【００１８】
障子戸３０は図１２（ａ）、（ｂ）に示すように形成されるものであり、図では外障子戸３１、内障子戸３２の２枚により形成されたものである。
【００１９】
さらに詳説すると、障子戸３０は縦枠体３４と横枠体３５よりなる障子枠体３３と、縦桟３６と横桟３７と、障子紙３８と、金属製の板バネ３９ａよりなる弾性摩擦部材３９より形成されたものである。その縦枠体３４と横枠体３５よりなる障子枠体３３と、縦桟３６と横桟３７の素材としては、通常は木材であるが、プラスチック材、金属材（例えば、アルミニウム等）、あるいはこれらの組み合わせ、等任意である。
【００２０】
障子紙３８は外部の光を透過する採光機能と、外部から内部が見えないように擦るための遮蔽機能を具備するものであり、通常は和紙であるが、この機能を有する部材であれば、プラスチック材でも良いものである。
【００２１】
障子紙３８としては、手すき楮障子紙、マニラ麻・レーヨン・ビニロン等の混抄障子紙、レーヨン障子紙、レーヨン入り障子紙、パルプ障子紙、プラスチック障子紙、アイロン障子紙、破れにくい障子紙、消臭障子紙、難燃障子紙、模様入り障子紙、カラー障子紙、等よりなるものである。
【００２２】
弾性摩擦部材３９は図では金属製の板バネ３９ａで形成しているが、障子戸３０が障子枠体案内溝１３内で自重により下降しないような圧力下で常時固定されるものであればよいものである。勿論、スライドされる部分であるので、耐摩耗性の部材が好ましい。
【００２３】
さらに本発明に係る擦り上げ障子戸Ａの具体例を示すと、図１３は内側から見た状態図、図１４は外側から見た状態図、図１５は上と下を開放した状態図、図１６は上のみを開放した状態図、図１７は下のみを開放した状態図を示すものである。
【００２４】
以上説明したのは本発明に係る擦り上げ障子戸Ａの一実施例に過ぎず、図１８（ａ）〜（ｃ）〜図２０（ａ）、（ｂ）に示すように形成することができる。
【００２５】
すなわち、図１８（ａ）〜（ｃ）において、（ａ）図は二重硝子２０と建具枠体１間にシーリング材などのパッキング材Ｐを形成して閉塞密閉し、断熱性、気密性、防水性、結露防止、強度を向上すると共に、二重硝子２０がガタついて破損しないように形成した擦り上げ障子戸Ａ、（ｂ）図は上框２、下框３にゴム系、あるいはプラスチック系のような弾力性のあるパッキング材Ｐを形成し断熱性、気密性、防水性を強化した擦り上げ障子戸Ａ、（ｃ）図は擦り上げ障子戸Ａ同士が当接する部分に弾力性のあるパッキング材Ｐを形成し断熱性、気密性、防水性を強化した擦り上げ障子戸Ａである。
【００２６】
図１９（ａ）〜（ｃ）は、図１８（ａ）〜（ｃ）において擦り上げ障子戸Ａ同士が前後に重なる部分に弾力性のあるパッキング材Ｐを形成し断熱性、気密性、防水性を強化した擦り上げ障子戸Ａである。
【００２７】
図２０（ａ）、（ｂ）は、上框２と下框３間に前後２枚の中框７を形成し、一枚の二重硝子２０の中間部分を内外両面から挟み込んで強度を向上した擦り上げ障子戸Ａである。
【００２８】
なお、図では障子戸３０を上下方向に移動する実施例を示しているが、障子枠体案内溝１３を上框２、下框３に形成することにより、障子戸３０を左右に移動できるように形成することもできるものである。
【００２９】
さらに、本発明に係る擦り上げ障子戸Ａは、建具枠体１に鍵を形成して施錠できるように形成することにより、防犯にも対応できるものである。
【産業上の利用可能性】
【００３０】
本発明に係る擦り上げ障子戸Ａによれば、和風住宅には違和感の多いサッシを使用せずに高断熱・高気密住宅に使用できるので、今までにない木造和風住宅を構築できる。また、和風建具の雰囲気を醸し出しながら、サッシの断熱性、気密性、防水性を保つことができるために、本発明に係る擦り上げ障子戸を「擦り上げ障子戸付き木製サッシ」という新規分野として開拓できる可能性を有する。
【図面の簡単な説明】
【００３１】
【図１】本発明に係る擦り上げ障子戸の代表的一例を示す説明図である。
【図２】本発明に係る擦り上げ障子戸の代表的一例を示す説明図である。
【図３】本発明に係る擦り上げ障子戸の代表的一例を示す説明図である。
【図４】本発明に係る擦り上げ障子戸の代表的一例を示す説明図である。
【図５】本発明に係る擦り上げ障子戸の代表的一例を示す説明図である。
【図６】本発明に係る擦り上げ障子戸の代表的一例を示す説明図である。
【図７】本発明に係る擦り上げ障子戸の代表的一例を示す説明図である。
【図８】本発明に係る擦り上げ障子戸の代表的一例を示す説明図である。
【図９】本発明に係る擦り上げ障子戸の建具枠体の代表的一例を示す説明図である。
【図１０】本発明に係る擦り上げ障子戸の二重硝子の代表的一例を示す説明図である。
【図１１】本発明に係る擦り上げ障子戸の障子戸の形成方法の代表的一例を示す説明図である。
【図１２】本発明に係る擦り上げ障子戸の障子戸の代表的一例を示す説明図である。
【図１３】本発明に係る擦り上げ障子戸の代表的一例を示す説明図である。
【図１４】本発明に係る擦り上げ障子戸の代表的一例を示す説明図である。
【図１５】本発明に係る擦り上げ障子戸の代表的一例を示す説明図である。
【図１６】本発明に係る擦り上げ障子戸の代表的一例を示す説明図である。
【図１７】本発明に係る擦り上げ障子戸の代表的一例を示す説明図である。
【図１８】本発明に係る擦り上げ障子戸のその他の実施例を示す説明図である。
【図１９】本発明に係る擦り上げ障子戸のその他の実施例を示す説明図である。
【図２０】本発明に係る擦り上げ障子戸のその他の実施例を示す説明図である。
【符号の説明】
【００３２】
α  開口
Ａ  擦り上げ障子戸
Ｋ  鴨居
Ｐ  パッキング材
Ｓ  敷居
Ｕ  硝子固定部材
１  建具枠体
２  上框
３  下框
４  縦框
５  左縦框
６  右縦框
７  中框
１０  縦框硝子固定溝
１１  上框硝子固定溝
１２  下框硝子固定溝
１３  障子枠体案内溝
１４  外障子枠体案内溝
１５  内障子枠体案内溝
２０  二重硝子
２１  表硝子
２２  裏硝子
２３  スペーサー
２４  空気層
３０  障子戸
３１  外障子戸
３２  内障子戸
３３  障子枠体
３４  縦枠体
３５  横枠体
３６  縦桟３６
３７  横桟
３８  障子紙
３９  弾性摩擦部材
３９ａ  板バネ
【図１】
2005299208.tif 000003
【図２】
2005299208.tif 000004
【図３】
2005299208.tif 000005
【図４】
2005299208.tif 000006
【図５】
2005299208.tif 000007
【図６】
2005299208.tif 000008
【図７】
2005299208.tif 000009
【図８】
2005299208.tif 000010
【図９】
2005299208.tif 000011
【図１０】
2005299208.tif 000012
【図１１】
2005299208.tif 000013
【図１２】
2005299208.tif 000014
【図１３】
2005299208.tif 000015
【図１４】
2005299208.tif 000016
【図１５】
2005299208.tif 000017
【図１６】
2005299208.tif 000018
【図１７】
2005299208.tif 000019
【図１８】
2005299208.tif 000020
【図１９】
2005299208.tif 000021
【図２０】
2005299208.tif 000022